【事件の表示】
　平成１１年特許願第２３４３６４号「パチンコ遊技機の入賞ユニット」拒絶査定不服審判事件〔平成１３年　３月　６日出願公開、特開２００１−　５８０３１〕について、次のとおり審決する。
【結　論】
　本件審判の請求は、成り立たない。
【理　由】
　
第一、手続きの経緯
　本願は、平成１１年８月２０日の出願であって、平成１６年４月１３日付けで拒絶理由が通知され、これに対し、平成１６年６月１８日付けで手続補正がなされ、平成１６年９月２８日付けで拒絶査定がなされ、これに対し、同年１１月２日に拒絶査定に対する審判請求がなされるとともに、同年１１月２２日付け手続補正書によって明細書の一部が補正されたものである。
　
第二、平成１６年１１月２２日付けの手続補正についての補正却下の決定
［補正却下の決定の結論］
　平成１６年１１月２２日付けの手続補正（以下、「本件補正」という。）を却下する。
［理由］
　（１）補正後の本願発明　　
　本件補正により、請求項１乃至４のうち、請求項１は、
「遊技領域が設けられた遊技盤と、
　前記遊技盤の下方に設けられた大入賞口と、
　前記大入賞口の左右両側に設けられた落とし入賞口とが設けられた遊技機に備えられる入賞ユニットにおいて、
　球誘導レールの曲面に一致する曲面と遊戯球の当接面とが外壁部に形成されると共に
　飾り板体の開口にランプカバーレンズ体を嵌合装着し、
　かつ背面にランプ基板を装着して表示体構造物を構成し、
　その外壁部に球誘導面と入賞球受入口を設け、
　前記飾り板体の内側壁の下部側方にほぼ四角形状に一体に形成された側部板体を備え、
　前記飾り板体の内側壁より前記側部板体の上面に入賞球受入口へ球を誘導しうる球誘導面を形成し、
　前記側部板体の内端面は飾り板体の円弧に合わせ、かつ下方の大入賞口の左右の落とし入賞口への遊技球の転入の邪魔にならないようにえぐられた形状とさ
れ、前記側部板体内端面の下側角部をえぐられた形状としたこと
を特徴とするパチンコ遊技機の入賞ユニット。」と補正された。
　
　上記補正は、補正前（平成１６年６月１８日付け手続補正による補正）の特許請求の範囲の請求項４を削除し、補正前の請求項５を、繰り上げて請求項４とするとともに、
　補正前の請求項１に記載された発明を特定するために必要な事項である「側部板体」について、「えぐられた形状」を補正前の請求項４に記載されたとおりの「側部板体内端面の下部角部をえぐられた形状」と限定するものであるから、本件補正は、特許法第１７条の２第４項第１号の請求項の削除及び同条同項第２号の特許請求の範囲の減縮を目的とするものに該当する。
　
　（２）そこで、本件補正後の請求項１に記載された発明（以下、「本願補正発明」という。）が特許出願の際独立して特許を受けることができるものであるのか（平成１８年改正前特許法第１７条の２第５項において準用する同法第１２６条第５項の規定に適合するか）について以下に検討する。
　　
　（あ）刊行物、及び周知技術を示す刊行物に記載された発明
刊行物１；特開平７−２９９２３０号公報
周知技術を示す刊行物ア；特開平６−２６９５４５号公報
周知技術を示す刊行物イ；特開平６−２８５２２６号公報
周知技術を示す刊行物ウ；特開平９−１５５０１６号公報
周知技術を示す刊行物エ；特開平９−１７３５３２号公報
周知技術を示す刊行物オ；特開平９−１７３５３４号公報
　
　原査定の拒絶理由通知に引用された特開平７−２９９２３０号公報（以下、「引用刊行物１」という。）には、以下の記載がある。
　（１−１）「【０００２】
【従来の技術】・・・さらに、従来の遊技機においては、金属製の内バンドとその他の部品（例えば、サンドランプ、戻り球防止部材、変動入賞装置等）は個別に配置され、また、その取付方法も部品により区々であった。」　
　（１−２）「【００１０】
【実施例】以下、図面を参照して本発明の実施例について説明する。図１〜図１１は本発明をプリペイドカード方式のパチンコ機に適用した場合の第１実施例を示している。
パチンコ装置の正面構成
図１はパチンコ装置の全体を示す正面斜視図である。図１において、１はパチンコ装置であり、大きく分けてパチンコ機２と、遊技媒体貸出装置としてのカード式玉貸機（以下、単に玉貸機という）３によって構成され、これらが対をなして設置される。・・・
【００１１】パチンコ機１は、額縁状前面枠１１と、ガラス１２ａを支持する金枠（ガラス枠）１２と、遊技盤１３（図２参照）と、前面表示パネル１４と、前面操作パネル１５とを有している。・・・」　
　（１−３）「【００１４】
遊技盤の構成
図２は遊技盤１３を示す正面図である。遊技盤１３は樹脂製（例えば、プラスチック製）で、その前面側が遊技領域１０２になっている。・・・遊技盤１３における遊技領域１０２は本発明の適用対象である遊技媒体として遊技球を使用するパチンコ遊技機であれば、任意の構成を取り得る。・・・」
　（１−４）「【００１６】ここで、遊技領域１０２について説明する。遊技領域１０２のほぼ中央部には回転振分け装置１２１が、・・・回転振分け装置１２１の直下には変動入賞装置１２４がそれぞれ配置されている。また、変動入賞装置１２４の左右両側には一般入賞口１２５、１２６、１２７、１２８が配置されている。・・・
【００１７】・・・変動入賞装置１２４は、特別遊技状態が発生した場合に予め定められた所定回数だけ遊技玉を受け入れない第１の状態（遊技者にとって不利な状態）から受け入れ易い第２の状態（遊技者にとって有利な状態）に変動可能な大入賞口（いわゆるアタッカー）として作動する。」
　（１−５）「【００１９】また、遊技領域１０２の左右両側にはラッキーナンバー決定表示器１５１、１５２およびサイドランプ１５３、１５４が配置されている。・・・サイドランプ１５３、１５４は遊技状態に応じて点灯制御される。・・・なお、ラッキーナンバー決定表示器１５１、１５２およびサイドランプ１５３、１５４は、詳細を後述するように内バンド１１２や遊技盤取付部とともに樹脂製で一体成形されており、さらにこの遊技盤取付部に戻り球防止部材１６１が取り付け可能になっている。」　
　（１−６）「【００２１】Ａ．バンド構造体２０１
図３はバンド構造体２０１の表側の分解斜視図であり、バンド構造体２０１はラッキーナンバー決定表示器１５１、サイドランプ１５３、戻り球防止部材１６１、風車１６２、一般入賞口１２５を含んで構成される。バンド構造体２０１は内バンド１１２、遊技盤取付部２３１とともに樹脂製で一体成形されている。・・・また、内バンド１１２の表側にラッキーナンバー決定表示器１５１が配置されるとともに、遊技盤取付部２３１に各種機構体（例えば、サイドランプ１５３、戻り球防止部材１６１、風車１６２、一般入賞口１２５）を配置可能である。したがって、遊技盤取付部２３１は各種機構体を配置する取付基盤部としての機能を有している。」
　（１−７）「【００２５】（ｂ）サイドランプ
サイドランプ１５３はレンズ２６１を有しており、レンズ２６１は半透明の素材からなり、その下部に形成されたワンタッチ部材２６２（他は図示略）を遊技盤取付部２３１の取付穴２６３ａ、２６３ｂに対してそれぞれ挿入することにより、遊技盤取付部２３１に対してワンタッチで取り付けられる。また、一般入賞口１２５は、例えばビス等の固定手段により遊技盤取付部２３１に取り付けられる。一方、遊技盤取付部２３１にはランプ基盤開口部２６４が形成されており、ランプ基盤開口部２６４を通してランプ基盤２６５（発光源用基盤）がレンズ２６１の後部側に配置される。ランプ基盤２６５は複数（ここでは７個）のランプ２６６（発光源）を有しており、複数のランプ２６６はリード線２６７に接続され、所定の電源が供給されるようになっている。」　
　（１−８）「【００２７】・・・なお、遊技領域１０２の右側に配置されたバンド構造体２０３におけるラッキーナンバー決定表示器１５２、サイドランプ１５４、一般入賞口１２８についても上記同様の構成である（分解斜視図を用いての説明は省略）。」　
　（１−９）「【００３４】（ｇ）バンド構造体２０１の裏側の構成
・・・バンド構造体２０１を遊技盤１３に取り付けるには、・・・これにより、バンド構造体２０１の位置決めが正確に決定されて遊技盤１３に固定される。」　
　
　（１−１０）遊技盤を示す図である【図２】には「遊技盤１３の下方に配置された変動入賞装置１２４」及び「変動入賞装置１２４の左右両側に配置された一般入賞口１２６、１２７」並びに「遊技領域１０２の左右に各々配置されたバンド構造体２０１、２０３」が示され、また、バンド構造体の分解斜視図である【図３】には「ランプ基盤開口部２６４の上下端近傍に各々設けられた取付穴２６３ａ」が示されている。　
　
　したがって、これらの記載をまとめると、引用刊行物１には、
「　前面側が遊技領域１０２になっている遊技盤１３と、
　前記遊技盤１３の下方に配置された大入賞口として作動する変動入賞装置１２４と、
　前記変動入賞装置１２４の左右両側に配置された一般入賞口１２６、１２７とを有している、遊技球を使用するパチンコ機２に固定される左右のバンド構造体２０１、２０３において、
　前記遊技領域１０２の左側に固定されるバンド構造体２０１は、内バンド１１２と遊技盤取付部２３１とが一体成形され、
　前記遊技盤取付部２３１には遊技状態に応じて点灯制御されるサイドランプ１５３と一般入賞口１２５とを配置し、
　前記サイドランプ１５３はレンズ２６１を有し、該レンズ２６１は、その下部に形成されたワンタッチ部材２６２をランプ基盤開口部２６４の上下端近傍に各々設けられた取付穴に対してそれぞれ挿入することにより、遊技盤取付部２３１に対して取り付けられ、
　前記遊技盤取付部２３１にはランプ基盤開口部２６４が形成され、該ランプ基盤開口部２６４を通してランプ基盤２６５がレンズ２６１の後部側に配置され、
　前記一般入賞口１２５は遊技盤取付部２３１に取り付けられ、
　前記遊技領域１０２の右側に配置されたバンド構造体２０３におけるサイドランプ１５４、一般入賞口１２８についても上記同様の構成である、
　遊技球を使用するパチンコ機２のバンド構造体２０１、２０３。」の発明（以下、「引用発明１」という。）が記載されていると認められる。
　
　本願出願前に頒布された特開平６−２６９５４５号公報（以下、「周知刊行物アという。）には、以下の記載がある。
　（ア−１）「【０００６】
【実施例】以下、図面を参照して、本発明の実施例について説明する。まず、図７を参照して、実施例に係る可変表示装置が適用される遊技機の一例としてのパチンコ遊技機の遊技盤１の構成について説明する。図７は、遊技盤１の拡大正面図である。図において、遊技盤１の表面には、発射された打玉を誘導するための誘導レール２がほぼ円状に植立され、該誘導レール２で区画された領域が遊技領域３を構成している。・・・」　
　（ア−２）「【０００８】前記可変表示装置３０の下方に入賞領域８を有する可変入賞球装置６が設けられている。可変入賞球装置６は、前記遊技盤１に取り付けられる取付基板７を有し、その取付基板７の上部に長方形状の入賞領域８が開設されている。・・・
【０００９】・・・更に、可変入賞球装置６の取付基板７の左右部には、通常の入賞口１７ａ，１７ｂが一体的に形成され、入賞口１７ａ，１７ｂの外側にアタッカーランプ１８が設けられている。」　
　（ア−３）「【００１１】更に、遊技盤１の表面には、前記可変表示装置３０の上部左右側方に風車ランプ１９ａ，１９ｂが設けられ、下部側方に入賞口２０ａ，２０ｂが設けられている。また、・・・遊技領域３の左右にサイドランプ２１ａ，２１ｂが設けられている。上記した入賞口２０ａ，２０ｂとサイドランプ２１ａ，２１ｂとは、遊技領域３の左右両側であってその中央やや上部から前記可変入賞球装置６の取付基板７に達する範囲の遊技盤１の表面を覆うサイド装飾板２３ａ，２３ｂに一体的に設けられている。・・・」
　　
　（ア−４）パチンコ遊技機の遊技盤の正面図である【図７】には「サイド装飾板２３ａ，２３ｂの正面視形状は、下半部が遊技盤１中央側へほぼ四角形状に突出形成され、誘導レール２側は円弧状に形成され、遊技盤１中央側は上半部及び下半部が各々円弧状に形成され、遊技盤１中央側の円弧の形状は誘導レール２側の円弧の形状に略一致している」事項が示されている。　
　　　
　したがって、引用刊行物アには、
「遊技盤１の表面には、誘導レール２がほぼ円状に植立され、
　前記遊技盤１に取り付けられる可変入賞球装置６の取付基板７の左右部には通常の入賞口１７ａ，１７ｂが一体的に形成されるパチンコ遊技機に配されるサイド装飾板２３ａ，２３ｂにおいて、
　入賞口２０ａ，２０ｂとサイドランプ２１ａ，２１ｂとが、サイド装飾板２３ａ，２３ｂに一体的に設けられ、
　サイド装飾板２３ａ，２３ｂの正面視形状は、下半部が遊技盤１中央側へほぼ四角形状に突出形成され、誘導レール２側は円弧状に形成され、遊技盤１中央側は上半部及び下半部が各々円弧状に形成され、遊技盤１中央側の円弧の形状は誘導レール２側の円弧の形状に略一致している、サイド装飾板２３ａ，２３ｂ。」の発明（以下、「周知発明ア」という。）が記載されていると認められる。
　
　本願出願前に頒布された特開平６−２８５２２６号公報（以下、「周知刊行物イ」という。）には、以下の記載がある。
　（イ−１）「【０００６】
【実施例】以下、図面を参照して、本発明の実施例について説明する。まず、図１乃至図３を参照して、実施例に係る弾球遊技機の一例としてのパチンコ遊技機１（図４参照）の遊技盤２の構成について説明する。図１は、遊技盤２の拡大正面図であり、図２は、遊技盤２に設けられる可変入賞球装置２１の斜視図であり、図３は、遊技盤２の背面図である。図１において、遊技盤２の表面には、発射された打玉を誘導するための誘導レール３がほぼ円状に植立され、該誘導レール３で区画された領域が遊技領域４を構成している。・・・」　
　（イ−２）「【００１０】前記可変表示装置５の下方に入賞領域２３を有する可変入賞球装置２１が設けられている。可変入賞球装置２１は、前記遊技盤２に取り付けられる取付基板２２を有し、その取付基板２２の上部に長方形状の入賞領域２３が開設されている。・・・」　
　（イ−３）「【００１２】・・・更に、可変入賞球装置２１の取付基板２２の左右部には、通常の入賞口３６ａ，３６ｂが一体的に形成され、入賞口３６ａ，３６ｂの外側にアタッカーランプ３７が設けられている。」
　（イ−４）「【００１４】更に、遊技盤２の表面には、前記可変表示装置５の上部左右側方に風車ランプ３８ａ，３８ｂが設けられ、下部側方に入賞口３９ａ，３９ｂが設けられている。また、・・・遊技領域４の左右にサイドランプ４０ａ，４０ｂが設けられている。上記した入賞口３９ａ，３９ｂとサイドランプ４０ａ，４０ｂとは、遊技領域４の左右両側であってその中央やや上部から前記可変入賞球装置２１の取付基板２２に達する範囲の遊技盤２の表面を覆うサイド装飾板４２ａ，４２ｂに一体的に設けられている。・・・」　
　　
　（イ−５）パチンコ遊技機の遊技盤の正面図である【図１】には「サイド装飾板４２ａ，４２ｂの正面視形状は、下半部が遊技盤２中央側へほぼ四角形状に突出形成され、誘導レール３側は円弧状に形成され、遊技盤２中央側は上半部及び下半部が各々円弧状に形成され、遊技盤２中央側の円弧の形状は誘導レール３側の円弧の形状に略一致している」事項が示されている。
　
　したがって、周知刊行物イには、
「遊技盤２の表面には、誘導レール３がほぼ円状に植立され、
　前記遊技盤２に取り付けられる可変入賞球装置２１の取付基板２２の左右部には通常の入賞口３６ａ，３６ｂが一体的に形成されるパチンコ遊技機に配されるサイド装飾板４２ａ，４２ｂにおいて、
　入賞口３９ａ，３９ｂとサイドランプ４０ａ，４０ｂとが、サイド装飾板４２ａ，４２ｂに一体的に設けられ、
　サイド装飾板４２ａ，４２ｂの正面視形状は、下半部が遊技盤２中央側へほぼ四角形状に突出形成され、誘導レール３側は円弧状に形成され、遊技盤２中央側は上半部及び下半部が各々円弧状に形成され、遊技盤２中央側の円弧の形状は誘導レール３側の円弧の形状に略一致している、サイド装飾板４２ａ，４２ｂ。」の発明（以下、「周知発明イ」という。）が記載されていると認められる。
　　
　本願出願前に頒布された特開平９−１５５０１６号公報（以下、「周知刊行物ウ」という。）には、以下の記載がある。
　（ウ−１）「【０００１】
【発明の属する技術分野】この発明は、パチンコ機において、遊技盤の遊技域に打込まれた遊技球を誘導する遊技球誘導装置に関する。」　
　（ウ−２）「【００２３】遊技盤１には、遊技域２の左端縁付近のレール面および右端縁付近のレール面に沿ってそれぞれ設置され、遊技球を通行させて所定位置へ誘導する誘導機能と、遊技域２を灯光によって装飾する装飾機能とを兼有する左右１対の誘導ユニット１５が取付けられている。」　
　（ウ−３）「【００３４】誘導ユニット１５には、ベース１８の後壁板１８ａと、レンズ壁１９の上レンズ片１９ｂと、通路壁２０とによって取囲まれ、球当て部材１２によってはね返されて誘導ユニット１５に向って転落する遊技球を受入れて流下させ、始動口１０に向って放出する内部流路２４が誘導部材１６の上部と中央部とにわたって遊技域２の右端縁のレール面に沿って形成されている。
【００３５】内部流路２４の上端には誘導部材１６の上端付近に開口されて遊技球を受入れる球入口２４ａが形成され、内部流路２４の下端には誘導部材１６の中央部付近の内端に開口されて内部流路２４を通行した遊技球を始動口１０へ向けて誘導部材１６外へ放出する球出口２４ｂが形成されている。」　
　　　　　　　
　（ウ−４）誘導ユニット付近の正面図である【図２】及び誘導ユニットの分解斜視図である【図４】には「誘導ユニット１５の正面視形状は、レール側及び遊技盤１中央側は円弧状に形成され、遊技盤１中央側の円弧の形状はレール側の円弧の形状に略一致し、かつ遊技盤１中央側の形状は下側部をえぐられた形状」とした事項が、それぞれ示されている。
　
　したがって、周知刊行物ウには、
「レール面に沿って設置され、遊技球を誘導する誘導機能と遊技域２を灯光によって装飾する装飾機能とを兼有する、パチンコ機の誘導ユニット１５において、
　誘導ユニット１５には、遊技球を受入れる球入口２４ａが形成され、
　誘導ユニット１５の正面視形状は、レール側及び遊技盤１中央側は円弧状に形成され、遊技盤１中央側の円弧の形状はレール側の円弧の形状に略一致し、かつ遊技盤１中央側の形状は下側部をえぐられた形状とした、
　パチンコ機の誘導ユニット１５。」の発明（以下、「周知発明ウ」という。）が記載されていると認められる。
　
　本願出願前に頒布された特開平９−１７３５３２号公報（以下、「周知刊行物エ」という。）には、以下の記載がある。
　（エ−１）「【０００１】
【発明の属する技術分野】この発明は、遊技機の遊技盤に関するもので、特に遊技盤の表側に飾り部材を配設すると共に、裏面側に遊技部材を配設して構成する遊技機の遊技盤に関するものである。」　
　（エ−２）「【０００６】遊技盤１は、一般に、ほゞ円形に区画される遊技部２と、該遊技部２の外側に位置する非遊技部３とを備え、遊技盤１の前面側及び背面側に種々の遊技部材４を配設する。尚、遊技部材４は、例えば図１に示すように遊技部２のほゞ中央に配設する可変図柄表示装置ユニット４１、該可変図柄表示装置ユニット４１の下方に配設する第１始動口ユニット４２、この第１始動口ユニット４２の下方に配設する変動入賞口ユニット４３、また遊技部２の側方部位に配置するサイドランプユニット４４、このサイドランプユニット４４の下方で上記変動入賞口ユニット４３との間に配置する第２始動口ユニット４５、更に上記可変図柄表示装置ユニット４１の左右斜め上方に配置するランプ風車４６及び下辺付近の左右に配置する一般風車４７等、遊技に供する部材を総称するものであり、遊技盤１の表面側に配設される表側遊技部材である。尚、上記サイドランプユニット４４は、サイド入賞口４４ａが設けてあり、入賞装置としての機能を併せ持っている。」　
　　
　（エ−３）また、遊技盤の一例の正面図である【図１】には、「サイドランプユニット４４の正面視形状は、遊技盤１外側は円弧状に形成され、遊技盤１中央側は上半部が円弧状に形成され、かつ遊技盤１中央側の下半部の形状は下側部をえぐられた形状」とした事項が示されている。
　
　したがって、周知刊行物エには、
「変動入賞口ユニット４３、サイドランプユニット４４、及び該サイドランプユニット４４の下方で上記変動入賞口ユニット４３との間に第２始動口ユニット４５を配置する、遊技機において、
　上記サイドランプユニット４４は、サイド入賞口４４ａが設けてあり、入賞装置としての機能を併せ持ち、
　上記サイドランプユニット４４の正面視形状は、遊技盤１外側は円弧状に形成され、遊技盤１中央側は上半部が円弧状に形成され、かつ遊技盤１中央側の下半部の形状は下側部をえぐられた形状とした、遊技機。」の発明（以下、「周知発明エ」という。）が記載されていると認められる。　
　
　本願出願前に頒布された特開平９−１７３５３４号公報（以下、「周知刊行物オ」という。）には、以下の記載がある。
　（オ−１）「【０００１】
【発明の属する技術分野】この発明は、パチンコ機などの遊技盤における遊技部材の取付構造に関し、特に遊技板本体の前面側及び背面側に種々の遊技部材を取り付けることのできる遊技部材の取付構造に関するものである。」　
　（オ−２）「【０００６】遊技盤１は、一般に、ほゞ円形に区画される遊技部２と、該遊技部２の外側に位置する非遊技部３とを備え、遊技盤１の前面側及び背面側に種々の遊技部材４を配設する。尚、遊技部材４は、例えば図１に示すように遊技部２のほゞ中央に配設する可変図柄表示装置ユニット４１、該可変図柄表示装置ユニット４１の下方に配設する第１始動口ユニット４２、この第１始動口ユニット４２の下方に配設する変動入賞口ユニット４３、また遊技部２の側方部位に配置するサイドランプユニット４４、このサイドランプユニット４４の下方で上記変動入賞口ユニット４３との間に配置する第２始動口ユニット４５、更に上記可変図柄表示装置ユニット４１の左右斜め上方に配置するランプ風車４６及び下辺付近の左右に配置する一般風車４７等、遊技に供する部材を総称するものであり、遊技盤１の表面側に配設される表部材である。尚、上記サイドランプユニット４４は、サイド入賞口４４ａが設けてあり、入賞装置としての機能を併せ持っている。」　
　　
　（オ−３）また、遊技盤の一例の正面図である【図１】には、「サイドランプユニット４４の正面視形状は、遊技盤１外側は円弧状に形成され、遊技盤１中央側は上半部が円弧状に形成され、かつ遊技盤１中央側の下半部の形状は下側部をえぐられた形状」とした事項が示されている。
　　　
　したがって、周知刊行物オには、
「変動入賞口ユニット４３、サイドランプユニット４４、及び該サイドランプユニット４４の下方で上記変動入賞口ユニット４３との間に第２始動口ユニット４５を配置する、パチンコ機において、
　上記サイドランプユニット４４は、サイド入賞口４４ａが設けてあり、入賞装置としての機能を併せ持ち、
　上記サイドランプユニット４４の正面視形状は、遊技盤１外側は円弧状に形成され、遊技盤１中央側は上半部が円弧状に形成され、かつ遊技盤１中央側の下半部の形状は下側部をえぐられた形状とした、パチンコ機。」の発明（以下、「周知発明オ」という。）が記載されていると認められる。
　　
　（い）本願補正発明と引用発明１との比較・検討
　（い−１）引用発明１の「遊技領域１０２」は、本願補正発明の「遊技領域」に相当し、以下同様に、「遊技盤１３」は「遊技盤」に、「変動入賞装置１２４」は「大入賞口」に、「一般入賞口１２６、１２７」は「落とし入賞口」に、「パチンコ機２」は「遊技機」及び「パチンコ遊技機」の双方に、「バンド構造体２０１、２０３」は「入賞ユニット」に、「内バンド１１２」は「球誘導レール」に、「遊技球」は「遊戯球」に、「ランプ基盤開口部２６４」は「開口」に、「レンズ２６１」は「ランプカバーレンズ体」に、「後部側」は「背面」に、「ランプ基盤２６５」は「ランプ基板」に、「一般入賞口１２５、１２８」は「入賞球受入口」に、それぞれ相当する。
　（い−２）引用発明１の「遊技盤取付部２３１」について検討すると、「遊技盤取付部２３１」は、内バンド１１２と一体成形されて遊技領域１０２に固定され、「遊技盤取付部２３１」には、遊技状態に応じて点灯制御されるサイドランプ１５３と一般入賞口１２５とが配置され、また、「遊技盤取付部２３１」には、ランプ基盤開口部２６４が形成され、該ランプ基盤開口部２６４を通してランプ基盤２６５がレンズ２６１の後部側に配置されているから、引用発明１には「内バンド１１２の曲面に一致する曲面と遊技球の当接面とが外壁部に形成されると共に、レンズ２６１を装着し、かつ背面にランプ基盤２６５を装着して、遊技状態に応じて点灯制御される表示体を構成し、その外壁部に一般入賞口１２５を設け、」の技術事項が記載されていると認められる。そうすると、引用発明１には本願補正発明の「球誘導レールの曲面に一致する曲面と遊戯球の当接面とが外壁部に形成されると共に、ランプカバーレンズ体を装着し、かつ背面にランプ基板を装着して表示体構造物を構成し、その外壁部に入賞球受入口を設け、」に相当する技術が記載されていると認められる。
　（い−３）また、引用発明１の「遊技盤取付部２３１」は本願補正発明の「飾り板体」及び「飾り板体に一体に形成された側部板体」と比較して、「板状部材」において共通する。　　
　そうすると、両者の一致点及び相違点は次のとおりである。
　
　一致点
　遊技領域が設けられた遊技盤と、
　前記遊技盤の下方に設けられた大入賞口と、
　前記大入賞口の左右両側に設けられた落とし入賞口とが設けられた遊技機に備えられる入賞ユニットにおいて、
　球誘導レールの曲面に一致する曲面と遊戯球の当接面とが外壁部に形成されると共に
　板状部材にランプカバーレンズ体を装着し、
　かつ背面にランプ基板を装着して表示体構造物を構成し、
　その外壁部に入賞球受入口を設けた、
　パチンコ遊技機の入賞ユニット。　
　
　相違点
　（Ａ）ランプカバーレンズ体を、本願補正発明では飾り板体の開口に嵌合装着したのに対し、引用発明１ではその下部に形成されたワンタッチ部材を板状部材の開口近傍に各々設けられた取付穴に対してそれぞれ挿入して装着した点。
　（Ｂ）本願補正発明では飾り板体の内側壁の下部側方にほぼ四角形状に一体に形成された側部板体を備え、前記側部板体の内端面は飾り板体の円弧に合わせ、かつ下方の大入賞口の左右の落とし入賞口への遊技球の転入の邪魔にならないようにえぐられた形状とされ、前記側部板体内端面の下側角部をえぐられた形状としたのに対し、引用発明１では板状部材がそのような構成を有しているかどうか明らかでない点。
　（Ｃ）本願補正発明では、飾り板体の内側壁より側部板体の上面に入賞球受入口へ球を誘導しうる球誘導面を形成したのに対し、引用発明１では球誘導面を有するかどうか明らかでない点。
　
　そこで、上記相違点について検討する。
　相違点（Ａ）について
　部材の装着手段としてどのような手段を採用するかは、装着時の作業性や装着後の部材と被装着部材との位置関係等を考慮して、当業者が適宜採用できる設計上の事項であり、また、開口に嵌合して装着する手段は普通に採用されている事項と認められるから、引用発明１の装着手段に替えて開口に嵌合して装着する手段を適用し、相違点（Ａ）に係る本願補正発明を特定する事項とすることは、当業者が容易になし得ることである。　
　相違点（Ｂ）について　　
　入賞ユニットの正面視形状において、下側部をほぼ四角形状とし、その内端面を誘導レールの円弧の形状に略一致させたものは、例えば、周知発明アに示された「サイド装飾板２３ａ，２３ｂ」、及び周知発明イに示された「サイド装飾板４２ａ，４２ｂ」のように周知・慣用の技術（以下、「周知・慣用の技術Ａ」という。）である。また、入賞ユニットの正面視形状において、内端面の下側角部をえぐられた形状としたものは、例えば、周知発明ウに示された「誘導ユニット１５」、及び周知発明エに示された「サイドランプユニット４４」、並びに周知発明オに示された「サイドランプユニット４４」のように周知・慣用の技術（以下、「周知・慣用の技術Ｂ」という。）である。そして、入賞ユニットをどのような形状とするかは、近接して配置された入賞口への入賞の難易度や遊技盤の意匠等を考慮して当業者が適宜採用できる設計上の事項であることを併せて考慮すれば、引用発明１の「入賞ユニット（「バンド構造体２０１、２０３）」に上記周知・慣用の技術Ａ及びＢをそれぞれ適用し、相違点（Ｂ）に係る本願補正発明を特定する事項とすることは、引用発明１及び周知・慣用の技術Ａ及びＢが「パチンコ遊技機の入賞ユニット」において共通しているから、当業者が容易になし得ることである。
　相違点（Ｃ）について　
　パチンコ遊技機において入賞球受入口へ球を誘導しうる球誘導面を形成することは、入賞に基づく賞品球数や入賞の難易度等を考慮して当業者が適宜選択できる事項であり、また、その際に球誘導面を具体的にどこに設けるかは当業者が適宜採用できる設計上の事項であるから、相違点（Ｃ）に係る本願補正発明を特定する事項とすることは、当業者が容易になし得ることである。
　
　また、効果においても、本願補正発明が格別の効果を奏するものとは認められない。
　　
　なお、審判請求書において、「引用文献１（上記の「引用刊行物１」）では、バンド構造体２０１、２０３とバンド構造体２０２とは必ず接触していなければならない」旨の主張をするが、
　（１）引用刊行物１において、内バンド１１２相互が接触していなければならない必要性は認められるが、遊技盤取付部２３１と遊技盤取付部３７５とが接触していなければならない必要性は、明細書及び図面をみても認められず、
　（２）上記（１−１）記載のように、引用刊行物１には「内バンドとサンドランプとが個別に配置」される技術が、従来の遊技機において存在することが記載され、
　（３）周知発明ア及びイには「誘導レールとは別体としたサイド装飾板」は周知技術であることが記載されている。
　そうすると、引用発明１において「内バンド１１２」と「遊技盤取付部２３１」とが一体成形されたバンド構造体２０１において、「遊技盤取付部２３１」の形状・構造について適宜、目的に応じて分離させることが妥当であることは、当業者の技術常識からみて明らかである。
　
　（う）むすび
　以上のとおり、本件補正は、平成１８年改正前特許法第１７条の２第５項で準用する同法第１２６条第５項の規定に違反するものであり、特許法第１５９条第１項で準用する特許法第５３条第１項の規定により却下されるべきものである。
　
第三、本願発明について
　平成１６年１１月２２日付けの手続補正は上記のとおり却下されたので、本願の請求項１乃至５に係る発明は、上記平成１６年６月１８日付けで補正された明細書の記載からみて、その特許請求の範囲の請求項１乃至５に記載された事項により特定されるものと認められるところ、その請求項１に記載された発明は次のとおりのものである。
　「遊技領域が設けられた遊技盤と、
　前記遊技盤の下方に設けられた大入賞口と、
　前記大入賞口の左右両側に設けられた落とし入賞口とが設けられた遊技機に備えられる入賞ユニットにおいて、
　球誘導レールの曲面に一致する曲面と遊戯球の当接面とが外壁部に形成されると共に
　飾り板体の開口にランプカバーレンズ体を嵌合装着し、
　かつ背面にランプ基板を装着して表示体構造物を構成し、
　その外壁部に球誘導面と入賞球受入口を設け、
　前記飾り板体の内側壁の下部側方にほぼ四角形状に一体に形成された側部板体を備え、
　前記飾り板体の内側壁より前記側部板体の上面に入賞球受入口へ球を誘導しうる球誘導面を形成し、
　前記側部板体の内端面は飾り板体の円弧に合わせ、かつ下方の大入賞口の左右の落とし入賞口への遊技球の転入の邪魔にならないようにえぐられた形状とされていること
を特徴とするパチンコ遊技機の入賞ユニット。」（以下、「本願発明」という。）
　
　（あ）刊行物、及び周知技術を示す刊行物に記載された発明
　原査定の拒絶理由通知に引用された刊行物と本願出願前に頒布された刊行物及びその記載事項は前記「第二、（２）（あ）」に記載したとおりである。
　
　（い）本願発明と引用発明１との比較・検討
　本願補正発明は、本願発明を特定するために必要な事項である「側部板体」について、「えぐられた形状」を補正前の請求項４に記載されたとおりの「側部板体内端面の下部角部をえぐられた形状」と限定するものである。
　そうすると、本願発明の発明特定事項を全て含み、さらに他の発明特定事項を付加したものに相当する本願補正発明が、前記「第二、（２）（い）」に記載したとおり、引用発明１及び周知・慣用の技術に基づいて、当業者が容易に発明をすることができたものであるから、本願発明も、同様の理由により、引用発明１及び周知・慣用の技術に基づいて、当業者が容易に発明をすることができたものである。
　　
　（う）むすび
　以上のとおり、本願発明は、引用発明１及び周知・慣用の技術に基づいて、当業者が容易に発明をすることができたものであるから、本願の他の請求項に係る発明について検討するまでもなく、本願発明は、特許法第２９条第２項の規定により、特許を受けることができない。
　よって、結論のとおり審決する。